(57)【要約】【課題】防犯性が高いクリーニングボックスを提供する。【解決手段】投入扉又は仕上品扉が解錠してから所定時間経過しても投入扉又は仕上品扉の開放が検出されない場合には、該投入扉又は仕上品扉が施錠されるようにした。また、投入扉又は仕上品扉が一旦開放された後に閉鎖されると、該投入扉又は仕上品扉が施錠される。したがって、投入扉又は仕上品扉が解錠状態で長時間放置されることがないので防犯性が向上する。【選択図】  図８
2004183222.tif 000002
【特許請求の範囲】
【請求項１】
利用者から洗濯物を預かるとともにクリーニングされた仕上品を収納保管するクリーニングボックスにおいて、
洗濯物を投入するための投入扉と該投入扉を解錠・施錠するロック機構と前記投入扉の開閉状態を検知する投入扉開閉検知手段とを有する洗濯物収納部と、
仕上品を取り出すための仕上品扉と該仕上品扉を解錠・施錠するロック機構と前記仕上品扉の開閉状態を検知する仕上品扉開閉検知手段とを有する仕上品収納部と、
前記投入扉又は仕上品扉の開閉指示を入力する開閉操作部と、
前記投入扉及び仕上品扉の解錠・施錠を制御する開閉制御部とを備え、
該開閉制御部は、
前記開閉操作部による投入扉の開放指示があると前記投入扉を解錠するよう該投入扉のロック機構を制御し、
投入扉を解錠してから所定時間経過しても投入扉開閉検知手段が投入扉の開放を検出しない場合には投入扉を施錠するよう投入扉のロック機構を制御し、
投入扉が開放状態から閉鎖状態となったことを投入扉開閉検知手段が検知すると投入扉を施錠するよう投入扉のロック機構を制御し、
前記開閉操作部による仕上品扉の開放指示があると前記仕上品扉を解錠するよう該仕上品扉のロック機構を制御し、
仕上品扉を解錠してから所定時間経過しても仕上品扉開閉検知手段が仕上品扉の開放を検出しない場合には仕上品扉を施錠するよう仕上品扉のロック機構を制御し、
仕上品扉が開放状態から閉鎖状態となったことを仕上品扉開閉検知手段が検知すると仕上品扉を施錠するよう仕上品扉のロック機構を制御する
ことを特徴とするクリーニングボックス。
【請求項２】
会員情報が記憶された会員カードから該会員情報を読み取るカードリーダを備え、
前記制御部は、該カードリーダから読み取った会員情報が正当である場合に前記開閉操作部による開閉指示を受け付ける
ことを特徴とする請求項１記載のクリーニングボックス。
【請求項３】
洗濯物収納部の洗濯物が満杯であるかを検出する満杯検出手段を備えるとともに、
前記制御部は、満杯検出手段が洗濯物の満杯を検出している間は前記開閉操作部による開放指示があっても投入扉の解錠を行わない
ことを特徴とする請求項１記載のクリーニングボックス。
【請求項４】
前記満杯検出手段が洗濯物の満杯を検出すると該満杯を表示する満杯表示手段を備えた
ことを特徴とする請求項３記載のクリーニングボックス。
【発明の詳細な説明】
【０００１】
【発明の属する技術分野】
本発明は、コンビニエンスストアなどの店舗に設置され、利用者から洗濯物とを預かるとともに、クリーニングされた仕上品を収納するクリーニングボックスに関する。
【０００２】
【従来の技術】
従来のクリーニングボックスは、利用者からの洗濯物を受け付ける受付機と、クリーニング後の仕上品を収納するロッカー部とを備えている。受付機は、洗濯物を投入する投入口に設けられた投入扉と、会員カードから会員情報を読み取るカードリーダとを備えている。受付機に設けられた制御部は、会員カードから読みとった情報が正当であるならば投入扉を解錠するとともに、洗濯物の投入を検知すると該投入扉を施錠する制御を行う例えば特許文献１参照）。
【０００３】
【特許文献１】
特開平７−６５２３１号公報
【０００４】
【発明が解決しようとする課題】
しかし、従来のクリーニングボックスでは、悪戯などの何らかの理由で、会員カードが挿入されて投入扉が解錠されても洗濯物の投入がない場合には投入扉が解錠状態で放置されることになる。このような状態では、洗濯物の盗難や異物混入などの悪戯を防止することができず防犯性に欠けることになる。
【０００５】
本発明は、上記事情に鑑みてなされたものであり、その目的とするところは、防犯性が高いクリーニングボックスを提供することにある。
【０００６】
【課題を解決するための手段】
上記目的を達成するために、請求項１の発明は、利用者から洗濯物を預かるとともにクリーニングされた仕上品を収納保管するクリーニングボックスにおいて、洗濯物を投入するための投入扉と該投入扉を解錠・施錠するロック機構と前記投入扉の開閉状態を検知する投入扉開閉検知手段とを有する洗濯物収納部と、仕上品を取り出すための仕上品扉と該仕上品扉を解錠・施錠するロック機構と前記仕上品扉の開閉状態を検知する仕上品扉開閉検知手段とを有する仕上品収納部と、前記投入扉又は仕上品扉の開閉指示を入力する開閉操作部と、前記投入扉及び仕上品扉の解錠・施錠を制御する開閉制御部とを備え、該開閉制御部は、前記開閉操作部による投入扉の開放指示があると前記投入扉を解錠するよう該投入扉のロック機構を制御し、投入扉を解錠してから所定時間経過しても投入扉開閉検知手段が投入扉の開放を検出しない場合には投入扉を施錠するよう投入扉のロック機構を制御し、投入扉が開放状態から閉鎖状態となったことを投入扉開閉検知手段が検知すると投入扉を施錠するよう投入扉のロック機構を制御し、前記開閉操作部による仕上品扉の開放指示があると前記仕上品扉を解錠するよう該仕上品扉のロック機構を制御し、仕上品扉を解錠してから所定時間経過しても仕上品扉開閉検知手段が仕上品扉の開放を検出しない場合には仕上品扉を施錠するよう仕上品扉のロック機構を制御し、仕上品扉が開放状態から閉鎖状態となったことを仕上品扉開閉検知手段が検知すると仕上品扉を施錠するよう仕上品扉のロック機構を制御することを特徴とする。
【０００７】
本発明によれば、投入扉又は仕上品扉が解錠してから所定時間経過しても投入扉又は仕上品扉の開放が検出されない場合には、該投入扉又は仕上品扉が施錠される。また、投入扉又は仕上品扉が一旦開放された後に閉鎖されると、該投入扉又は仕上品扉が施錠される。したがって、投入扉又は仕上品扉が解錠状態で長時間放置されることがないので防犯性が向上する。
【０００８】
また、請求項２の発明は、請求項１記載のクリーニングボックスにおいて、会員情報が記憶された会員カードから該会員情報を読み取るカードリーダを備え、前記制御部は、該カードリーダから読み取った会員情報が正当である場合に前記開閉操作部による開閉指示を受け付けることを特徴とする。
【０００９】
本発明によれば、正当な会員カードを保有しない者の操作では投入扉及び仕上品扉を開閉できないので防犯性が向上する。
【００１０】
さらに、請求項３の発明は、請求項１記載のクリーニングボックスにおいて、洗濯物収納部の洗濯物が満杯であるかを検出する満杯検出手段を備えるとともに、前記制御部は、満杯検出手段が洗濯物の満杯を検出している間は前記開閉操作部による開放指示があっても投入扉の解錠を行わないことを特徴とする。
【００１１】
本発明によれば、洗濯物収納部の洗濯物が満杯の場合には投入扉の解錠が行われないので、この場合には洗濯物の投入ができなくなる。洗濯物が満杯のときに無理に洗濯物を投入しようとすると洗濯物が詰まって投入扉が閉じなくなる恐れがあるが、本発明ではこのような事態を防止できる。これにより、防犯性が向上する。
【００１２】
さらに、請求項４の発明は、請求項１記載のクリーニングボックスにおいて、前記満杯検出手段が洗濯物の満杯を検出すると該満杯を表示する満杯表示手段を備えたことを特徴とする。
【００１３】
本発明によれば、クリーニングボックスの設置店舗の店員や利用者が洗濯物の満杯を認識できるので利便性が向上するとともに、満杯の状態で長時間放置されることを防止できるので洗濯物の受け入れ機会の向上を図れる。
【００１４】
【発明の実施の形態】
（第１の実施の形態）
本発明の第１の実施の形態に係るクリーニングボックスについて図面を参照して説明する。図１は第１の実施形態に係るクリーニングボックスの正面図、図２は第１の実施形態に係るクリーニングボックスの図１におけるＡ−Ａ線矢視方向断面図、図３は第１の実施形態に係るクリーニングボックスの図１におけるＢ−Ｂ線矢視方向断面図である。
【００１５】
このクリーニングボックス１は、全面開口の外箱１０と、外箱１０の内側に収納され左右方向に併設された二つの内箱２０，３０とを備えている。これら外箱１０及び内箱２０，３０はそれぞれ板金を折り曲げ加工することにより形成されている。一方の内箱２０により囲まれた空間は、クリーニング前の利用者の洗濯物を収納する洗濯物収納部２１となっている。洗濯物収納部２１の上部は、利用者が洗濯物を投入する洗濯物投入部２２となっており、該洗濯物収納部２１の下部は投入された洗濯物を保管する洗濯物保管部２３となっている。また、内箱３０により囲まれた空間は、クリーニングされた仕上品を収納する仕上品収納部３１となっている。
【００１６】
洗濯物投入部２２の前面には、外箱１０の左右端部を軸として前方に開閉する洗濯物投入扉２４が設けられている。また、洗濯物保管部２３の前面には、外箱１０の左右端部を軸として前方に開閉する洗濯物保管扉２５が設けられている。洗濯物投入部２２と洗濯物保管部２３とは電装室４０により仕切られている。該電装室４０は、板金を折り曲げ加工することにより形成されており、その上面は洗濯物を後方に導くための投入面４１となっている。この投入面４１は前方に向けて傾斜しており、さらにその後部は後方に向けて傾斜している。すなわち、図２に示すように、投入面４１は断面が「へ」の字状となっている。電装室４０内には後述する制御装置５０が設置された電装箱４２が前方に引出可能に設けられている。
【００１７】
洗濯物投入扉２４には、取手２４ａ，洗濯物投入扉２４を施錠・解錠する電磁ロック錠２６が設けられている。この電磁ロック錠２６は、後述する制御装置５０により施錠・解錠を制御されるとともに、所定の鍵により解錠・施錠が可能である。また、洗濯物投入部２２には、洗濯物投入扉２４の開閉状態を検出する開閉検知センサ２７が付設されている。
【００１８】
洗濯物保管部２３には、該保管部２３が洗濯物で満杯になったか否かを検出する光センサなどからなる満杯検知センサ２８が設けられている。また、洗濯物保管扉２５には、所定の鍵により開閉可能な錠２９が設けられている。さらに、洗濯物保管扉２５の前面には、内側に配した広告等を透過表示するために透明板がはめ込まれた窓２５ａと、利用者に配布するパンフレットなどを収容するポケット２５ｂとが、上下方向に並んで設けられている。
【００１９】
仕上品収納部３１には、左右の内壁間に亘る複数（本実施の形態では３つ）のパイプ３２が付設されている。このパイプ３２は、所定の仕上品収納袋に収納された仕上品を釣り下げるためのものである。各パイプ３２は、収納部３１の前後方向中央部付近において、所定間隔で上下に並んで設けられている。
【００２０】
仕上品収納部３１の前面には、外箱１０の左右端部を軸として前方に開閉する仕上品扉３３が設けられている。仕上品扉３３には、取手３３ａ，仕上品扉３３を施錠・解錠する電磁ロック錠３４が設けられている。この電磁ロック錠３４は、後述する制御装置５０により施錠・解錠を制御されるとともに、所定の鍵により解錠・施錠が可能である。また、仕上品収納部３１には、仕上品扉３３の開閉状態を検出する開閉検知センサ３５が付設されている。
【００２１】
仕上品扉３３の前面の中央部は、利用者が収納部３１内の仕上品を目視できるように透明板がはめ込まれた前面窓３３ｂが設けられている。さらに、仕上品収納部３１の上面には、外光を採り入れるために半透明板がはめ込まれた天井窓（図示省略）が設けられている。
【００２２】
次に、このクリーニングボックスの制御系について図４を参照して説明する。図４は第１の実施の形態に係るクリーニングボックスの制御ブロック図である。
【００２３】
図４に示すように、制御装置５０には、前述した洗濯物収納部２１の電磁ロック錠２６・開閉検知センサ２７・満杯検知センサ２８、仕上品収納部３１の電磁ロック錠３４・開閉検知センサ３５が接続されている。さらに、制御装置５０には、コントローラ６０及び通信装置７０が接続されている。コントローラ６０及び通信装置７０は、外箱１０の背面に設けた接続用コネクタ（図示省略）を介して接続される。
【００２４】
コントローラ６０は、図５に示すように、投入扉２４が解錠しているときに点灯する投入扉解錠ランプ６１と、投入扉２４の開閉検知センサ２７の検出信号に基づき扉が開状態のとき点灯する投入扉開放ランプ６２と、投入扉２４の解錠を指示する投入扉解錠ボタン６３と、仕上品扉３３が解錠しているときに点灯する仕上品解錠ランプ６４と、仕上品扉３３の開閉検知センサ３５の検出信号に基づき扉が開状態のとき点灯する仕上品扉開放ランプ６５と、仕上品扉３３の解錠を指示する仕上品扉解錠ボタン６６とを備えている。このコントローラ６０は、クリーニングボックス１を設置した店舗の店員が操作可能な場所（例えばレジカウンター内）に設置される。
【００２５】
通信装置７０はネットワーク８０に接続するための装置であり、その種別は問わない。本実施の形態では、通信装置７０としてＰＨＳ網に接続するためのモデムを用いた。この通信装置７０により、クリーニングボックス１はネットワーク８０を介して管理用のホストコンピュータ（図示省略）と通信できる。このホストコンピュータは複数のクリーニングボックスを集中管理する。
【００２６】
制御装置５０は、電磁ロック錠２６を制御して投入扉２４を施錠・解錠するとともに、電磁ロック錠３４を制御して仕上品扉３３を解錠・施錠する開閉制御部５１と、利用状況を記憶する利用状況記憶部５２と、前記通信装置７０を用いた通信を制御する通信制御部５３と、通信先の情報を記憶する通信先情報記憶部５４とを備えている。
【００２７】
開閉制御部５１は、投入扉解錠ボタン６３の押下信号に基づき電磁ロック錠２６を制御して投入扉２４の解錠・施錠を行う。また、投入扉２４の解錠を行ったときには同時にコントローラ６０の投入扉解錠ランプ６１を点灯制御するとともに、投入扉２４の開閉検知センサ２７の検知信号に基づき前記コントローラ６０の投入扉開放ランプ６２の点灯・消灯を制御する。同様に、開閉制御部５１は、仕上品扉解錠ボタン６６の押下信号に基づき電磁ロック錠３４を制御して仕上品扉３３の解錠・施錠を行う。また、仕上品扉３３の解錠を行ったときには同時にコントローラ６０の仕上品扉解錠ランプ６４を点灯制御するとともに、仕上品扉３３の開閉検知センサ３５の検知信号に基づき前記コントローラ６０の仕上品扉開放ランプ６５の点灯・消灯を制御する。
【００２８】
また、開閉制御部５１は、前述の動作についての履歴、すなわち利用状況を利用状況記憶部５２に記憶する。利用状況記憶部５２に記憶されているデータの一例を図６に示す。本実施の形態では、図６に示すように、日時、投入扉２４が開閉（投入）であるか仕上品扉３３の開閉（受取）であるかの別を記録している。
【００２９】
通信制御部５３は、主に以下の４つの機能を有する。１つは、予め設定された所定時刻になると通信装置７０を用いてホストコンピュータに接続し、利用状況記憶部５２に記憶されているデータを送信する機能である。１つは、ホストコンピュータからの要求に応じて、利用状況記憶部５２に記憶されているデータを該ホストコンピュータに送信する機能である。１つは、満杯検知センサ２８により洗濯物の満杯を検知した際に、満杯した旨を所定の通知先及びホストコンピュータに通知する機能である。１つは、クリーニングボックス１の異常を検知した際に、異常の旨を所定の通知先及びホストコンピュータに通知する機能である。なお、異常とは、例えば投入扉２４が開状態となり所定時間以上たっても閉状態とならない場合などが挙げられる。
【００３０】
上記各通信については、通信経路やプロトコルなど通信形態はどうようなものであってもよい。本実施の形態では、ホストコンピュータとの通信はパケット通信で行う。また、ホストコンピュータ以外への満杯検知の通知は、クリーニング業者にｅメールで通知する。さらに、ホストコンピュータ以外への異常検知の通知は、クリーニングボックスの保守業者にページャーで通知する。
【００３１】
通信先情報記憶部５４は、前記通信制御部５３の各機能に係る通信に用いられる通信先情報を記憶する。ここで、通信先情報は通信先に対応した内容となる。本実施の形態では、ホストコンピュータとの間の通信はパケット通信により行うので、該通信に係る通信先情報にはホストコンピュータのアドレスが含まれる。また、満杯検知通知についてはクリーニング業者にｅメールで通知するので、通信先情報には該業者のメールアドレスが含まれる。さらに、異常検知の通知についてはクリーニングボックスの保守業者にページャーで通知するので、通知先情報には業者のページャー番号が含まれる。
【００３２】
次に、クリーニングボックスの動作について図７〜図１０を参照して説明する。図７はクリーニングボックスの概略動作を説明するフローチャート、図８は洗濯物の投入又は仕上品の受取時の処理を説明するフローチャート、図９は満杯判定処理を説明するフローチャート、図１０は利用状況通信処理を説明するフローチャートである。
【００３３】
クリーニングボックス１は、利用者による洗濯物の投入又は仕上品の受取を処理する投入・受取処理（ステップＳ１）、洗濯物の満杯かどうかの判定に係る処理（ステップＳ２）、利用状況の送信に係る処理（ステップＳ３）を繰り返し処理する。
【００３４】
上記ステップＳ１における洗濯物の投入又は仕上品の受取時の処理は、まず、コントローラ６０の投入扉解錠ボタン６３がオンであるかを判定する（ステップＳ１１）。投入扉解錠ボタン６３がオンの場合であっても、満杯検知センサ２８が洗濯物の満杯を検出した場合には、投入扉２４の解錠は行わないので処理を終了させる（ステップＳ１２）。満杯検知センサ２８が洗濯物の満杯を検出しない場合には、投入扉２４を解錠するよう電磁ロック錠２６を制御する（ステップＳ１３）。次に、投入扉２４の開放を検知すると（ステップＳ１４）、利用状況記憶部５２に洗濯物投入があったことを記録し、その後に投入扉２４の閉鎖を検知すると（ステップＳ１５）、投入扉２４を施錠するよう電磁ロック錠２６を制御する（ステップＳ１６）。また、前記ステップＳ１３において投入扉２４の解錠を行ってから、所定時間経過するまでに投入扉２４の開放を検知しなかった場合には（ステップＳ１４，ステップＳ１７）、投入扉２４を施錠するよう電磁ロック錠２６を制御する（ステップＳ１６）。
【００３５】
前記ステップＳ１１で、コントローラ６０の投入扉解錠ボタン６３がオフであった場合、さらに、コントローラ６０の仕上品扉解錠ボタン６６がオンであるかを判定する（ステップＳ１８）。オンの場合、仕上品扉３３を解錠するよう電磁ロック錠３４を制御する（ステップＳ１９）。そして、仕上品扉３３の開放を検知すると（ステップＳ２０）、利用状況記憶部５２に仕上品の受け取りがあったことを記録し、その後に仕上品扉３３の閉鎖を検知すると（ステップＳ２１）、仕上品扉３３を施錠するよう電磁ロック錠３４を制御する（ステップＳ２２）。また、前記ステップＳ１９において仕上品扉３３の解錠を行ってから、所定時間経過するまでに仕上品扉３３の開放を検知しなかった場合には（ステップＳ２０，ステップＳ２３）、仕上品扉３３を施錠するよう電磁ロック錠３４を制御する（ステップＳ２２）。
【００３６】
上記ステップＳ２における満杯判定処理では、満杯検知センサ２８が洗濯物の満杯を検出した場合に（ステップＳ３１）、満杯したことを所定の通知先に通知する（ステップＳ３２）。具体的には、通信先情報記憶部５４を参照して、満杯通知に係る通信先情報を取得し、該通信先情報に基づき通信装置７０を用いて通知を行う。
【００３７】
上記ステップＳ３における利用状況の通信処理では、所定の通信先から利用状況の送信要求がある場合（ステップＳ４１）又は現在時刻が所定の時刻となっている場合（ステップＳ４２）、利用状況記憶部５２に記憶されているを送信する（ステップＳ４３）。具体的には、通信先情報記憶部５４を参照して、利用状況の送信に係る通信先情報を取得し、該通信先情報に基づき通信装置７０を用いて利用状況を送信する。
【００３８】
このように、本実施の形態に係るクリーニングボックスでは、投入扉２４又は仕上品扉３３の解錠から所定時間経過しても扉が開放しない場合には、自動的に投入扉２４又は仕上品扉３３が施錠される。したがって、投入扉２４又は仕上品扉３３が解錠状態で長時間放置されることがないので防犯性が向上する。また、洗濯物が満杯の場合には投入扉２４の解錠が行われないので、投入口に洗濯物の詰まりが生じることを未然に防止できる。これにより、さらに防犯性が向上したものとなる。
【００３９】
（第２の実施の形態）
本発明の第２の実施の形態に係るクリーニングボックスについて図面を参照して説明する。図１１は第２の実施形態に係るクリーニングボックスの操作部の正面図、図１２は第２の実施形態に係るクリーニングボックスのコントローラの正面図である。なお、図中、第１の実施の形態と同じ構成については同じ符号を付した。
【００４０】
本実施の形態に係るクリーニングボックスは、利用者に予め配布した会員カードを用いてユーザ認証を行うことによりユーザ毎の利用状況を管理する、という点で第１の実施の形態に係るクリーニングボックスと相違する。以下、相違点について説明する。
【００４１】
本実施の形態に係るクリーニングボックス１は、図１１に示すように、電装箱４２の前面パネル４２ａに、挿入された会員カードから会員情報等のデータを読み取るカードリーダ４３と、利用者により操作される操作部４４とを設けている。本実施の形態では、カードリーダ４３として磁気カードリーダを用いた。前記操作部４４は、投入扉２４の解錠を指示する投入扉解錠ボタン４４ａと、仕上品扉３３の解錠を指示する仕上品扉解錠ボタン４４ｂと、操作を取り消す取消ボタン４４ｃとを備えている。
【００４２】
また、このクリーニングボックス１のコントローラ９０は、利用者による前記カードリーダ４３及び操作部４４の操作の可否を指示する操作許可ボタン９１及び操作不許可ボタン９２と、カードリーダ４３及び操作部４４の利用が可能になっている際に点灯する操作許可ランプ９３が設けられている。
【００４３】
次に、本実施の形態に係るクリーニングボックスの制御系について図１３を参照して説明する。図１３は第２の実施の形態に係るクリーニングボックスの制御ブロック図である。図中、第１の実施形態と同じ構成には同一の符号を付した。
【００４４】
本実施の形態が第１の実施の形態と異なる点は、コントローラ９０，カードリーダ４３，操作部４４が制御装置５０に接続している点にある。開閉制御部５１は、コントローラ９０，カードリーダ４３，操作部４４からの信号に基づき投入扉２４又は仕上品扉３３の解錠・施錠を行う。また、図１４に示すように、開閉制御部５１が利用状況記憶部５２に記憶する利用状況には、カードリーダ４３を用いて会員カードから読み取った会員番号が含まれる。他の構成については第１の実施の形態と同様である。
【００４５】
次に、本実施の形態に係るクリーニングボックスの動作について説明する。このクリーニングボックス１の動作は、概略動作，満杯判定処理，利用状況通信処理については第１の実施の形態と同様であるので、ここでは説明は省略する（それぞれ図７，図９，図１０参照）。以下、洗濯物の投入・仕上品の受取処理について図１５及び図１６を参照して説明する。図１５及び図１６は、洗濯物の投入又は仕上品の受取時の処理を説明するフローチャートである。
【００４６】
図１５に示すように、まず、初期状態としてカードリーダ４３をカード受け入れ禁止状態にしておき（ステップＳ５１）、コントローラ９０の操作許可ボタン９１のオンを検出すると（ステップＳ５２）、カードリーダ４３をカード受け入れ許可状態にする（ステップＳ５３）。なお、このコントローラ９０は、利用者ではなく設置店舗の店員などが操作する。
【００４７】
次に、カードリーダ４３にカードが挿入したか否かを判定する（ステップＳ５４）。ここで、前記ステップＳ５３においてカードリーダ４３がカード受入許可状態になってから所定時間経過してもカードの挿入を検出できない場合、処理をステップＳ１に移してカード受け入れ禁止状態にする（ステップＳ５４，Ｓ５５，Ｓ５１）。
【００４８】
次に、カードリーダ４３にカードが挿入されると、挿入カードが会員カードであるか、すなわち正当なものであるかを判定する（ステップＳ５６）。この判定の結果、挿入されたカードが会員カードでない場合には、当該カードを排出して処理を終了する（ステップＳ５８）。一方、判定の結果、挿入されたカードが会員カードであるならば、まず、操作部４４の取消ボタン４４ｃが押下されたか又は会員カードが挿入されてから所定時間経過したかを判定する（ステップＳ５７）。この判定の結果、取消ボタン４４ｃが押下された又は会員カードが挿入されてから所定時間経過した場合には、挿入された会員カードを排出して処理を終了する（ステップＳ５８）。
【００４９】
前記ステップＳ５７で、取消ボタン４４ｃが押下されておらず、且つ、会員カードが挿入されてから所定時間経過していない場合には、さらに、操作部４４の投入扉解錠ボタン４４ａがオンであるかを判定する（ステップＳ５９）。投入扉解錠ボタン４４ａがオンの場合であっても、満杯検知センサ２８が洗濯物の満杯を検出した場合には、投入扉２４の解錠は行わないので処理を終了させる（ステップＳ６０）。満杯検知センサ２８が洗濯物の満杯を検出しない場合には、投入扉２４を解錠するよう電磁ロック錠２６を制御する（ステップＳ６１）。ここで、操作部４４の取消ボタン４４ｃの押下を検出したら処理を中止すべく後述するステップＳ６５に処理を移行する（ステップＳ６２）。次に、投入扉２４の開放を検知すると（ステップＳ６３）、利用状況記憶部５２に洗濯物投入があったことを記録し、その後に投入扉２４の閉鎖を検知すると（ステップＳ６４）、投入扉２４を施錠するよう電磁ロック錠２６を制御する（ステップＳ６５）。また、前記ステップＳ６１において投入扉２４の解錠を行ってから、所定時間経過するまでに投入扉２４の開放を検知しなかった場合には（ステップＳ６３，ステップＳ６６）、投入扉２４を施錠するよう電磁ロック錠２６を制御する（ステップＳ６５）。
【００５０】
前記ステップＳ５９で、操作部４４の投入扉解錠ボタン４４ａがオフであった場合、さらに、操作部４４の仕上品扉解錠ボタン４４ｂがオンであるかを判定する（ステップＳ６７）。オンの場合、仕上品扉３３を解錠するよう電磁ロック錠３４を制御する（ステップＳ６８）。ここで、操作部４４の取消ボタン４４ｃの押下を検出したら処理を中止すべく後述するステップＳ７２に処理を移行する（ステップＳ６９）。次に、仕上品扉３３の開放を検知すると（ステップＳ７０）、利用状況記憶部５２に仕上品の受け取りがあったことを記録し、その後に仕上品扉３３の閉鎖を検知すると（ステップＳ７１）、仕上品扉３３を施錠するよう電磁ロック錠３４を制御する（ステップＳ７２）。また、前記ステップＳ６８において仕上品扉３３の解錠を行ってから、所定時間経過するまでに仕上品扉３３の開放を検知しなかった場合には（ステップＳ７０，ステップＳ７３）、仕上品扉３３を施錠するよう電磁ロック錠３４を制御する（ステップＳ７２）。
【００５１】
このように、本実施の形態に係るクリーニングボックスによれば、会員カードを有している利用者のみが投入扉及び仕上品扉を開閉できるので防犯性が向上する。また、取消ボタン４４ｃを備えており、途中で処理を中断できるので利便性が向上する。他の作用・効果については第１の実施の形態と同様である。
【００５２】
以上本発明の実施の形態について説明したが、本発明はこれに限定されるものではない。例えば、上記各実施の形態では、洗濯物の満杯を検出する満杯検出センサを設けて、該センサが洗濯物の満杯を検出している場合には投入扉の解錠を禁止するようにしているが、更に、満杯であることを表示する満杯表示装置を設けてもよい。この満杯表示装置としては例えばＬＥＤなどのランプなど視覚に訴えるもののやブザーなど聴覚に訴えるものなどが挙げられる。また、この満杯表示装置は、クリーニングボックス本体又はコントローラの一方又は双方に付設する。これにより、設置店舗の店員や利用者が洗濯物の満杯を認識できるので利便性が向上する。
【００５３】
また、上記各実施の形態では、光センサなどからなる満杯検知センサ２８により洗濯物保管部２３が洗濯物が満杯になったか否かを判定しているが、洗濯物の投入回数をカウントするカウンタを設け、該カウンタが所定値以上となった場合に満杯であると判定するようにしてもよい。
【００５４】
さらに、上記各実施の形態に対して、更に、投入扉又は仕上品扉の開放を検出してから所定時間経過しても扉の閉鎖を検出しない場合に、このような扉の放置状態を表示する放置表示装置を設けてもよい。この放置表示装置としては例えばＬＥＤなどのランプなど視覚に訴えるもののやブザーなど聴覚に訴えるものなどが挙げられる。また、この放置表示装置は、クリーニングボックス本体又はコントローラの一方又は双方に付設する。これにより、投入扉又は仕上品扉が長時間開放したまま放置されることを未然に防ぐことができるので、さらに防犯性が向上する。
【００５５】
【発明の効果】
以上詳述したように、請求項１の発明によれば、投入扉又は仕上品扉が解錠してから所定時間経過しても投入扉又は仕上品扉の開放が検出されない場合には、該投入扉又は仕上品扉が施錠される。また、投入扉又は仕上品扉が一旦開放された後に閉鎖されると、該投入扉又は仕上品扉が施錠される。したがって、投入扉又は仕上品扉が解錠状態で長時間放置されることがないので防犯性が向上する。
【００５６】
また、請求項２の発明によれば、正当な会員カードを保有しない者の操作では投入扉及び仕上品扉を開閉できないので防犯性が向上する。
【００５７】
さらに、請求項３の発明によれば、洗濯物収納部の洗濯物が満杯の場合には投入扉の解錠が行われないので、この場合には洗濯物の投入ができなくなる。洗濯物が満杯のときに無理に洗濯物を投入しようとすると洗濯物が詰まって投入扉が閉じなくなる恐れがあるが、本発明ではこのような事態を防止できる。これにより、防犯性が向上する。
【００５８】
さらに、請求項４の発明によれば、クリーニングボックスの設置店舗の店員や利用者が洗濯物の満杯を認識できるので利便性が向上するとともに、満杯の状態で長時間放置されることを防止できるので、洗濯物の受け入れ機会の向上を図れる。
【図面の簡単な説明】
【図１】第１の実施形態に係るクリーニングボックスの正面図
【図２】第１の実施形態に係るクリーニングボックスの図１におけるＡ−Ａ線矢視方向断面図
【図３】第１の実施形態に係るクリーニングボックスの図１におけるＢ−Ｂ線矢視方向断面図
【図４】第１の実施形態に係るクリーニングボックスの制御ブロック図
【図５】第１の実施形態に係るコントローラの正面図
【図６】第１の実施形態に係る利用状況記憶部のデータ構造の一例を説明する図
【図７】第１の実施形態に係るクリーニングボックスの概略動作を説明するフローチャート
【図８】第１の実施形態に係る洗濯物の投入又は仕上品の受取時の処理を説明するフローチャート
【図９】第１の実施形態に係る満杯判定処理を説明するフローチャート
【図１０】第１の実施形態に係る利用状況通信処理を説明するフローチャート
【図１１】第２の実施形態に係るクリーニングボックスの拡大正面図
【図１２】第２の実施形態に係るコントローラの正面図
【図１３】第２の実施形態に係るクリーニングボックスの制御ブロック図
【図１４】第２の実施形態に係る利用状況記憶部のデータ構造の一例を説明する図
【図１５】第２の実施形態に係る洗濯物の投入又は仕上品の受取時の処理を説明するフローチャート
【図１６】第２の実施形態に係る洗濯物の投入又は仕上品の受取時の処理を説明するフローチャート
【符号の説明】
１…クリーニングボックス、１０…外箱、２０…内箱、２１…洗濯物収容部、２…洗濯物投入部、２３…洗濯物保管部、２４…洗濯物投入扉、２５…洗濯物保管扉、２６…電磁ロック錠、２７…開閉検知センサ、２８…満杯検知センサ、２９…錠、３０…内箱、３１…仕上品収納部、３２…パイプ、３３…仕上品扉、３４…電磁ロック錠、４０…電装室、４１…投入面、４２…電装箱、４３…カードリーダ、４４…操作部、４４ａ…投入扉解錠ボタン、４４ｂ…仕上品扉解錠ボタン、４４ｃ…取消ボタン、５０…制御装置、５１…開閉制御部、５２…利用状況記憶部、５３…通信制御部、５４…通信先情報記憶部、６０…コントローラ、６１…投入扉解錠ランプ、６２…投入扉開放ランプ、６３…投入扉解錠ボタン、６４…仕上品扉解錠ランプ、６５…仕上品扉開放ランプ、６６…仕上品扉解錠ボタン、７０…通信装置、８０…ネットワーク、９０…コントローラ、９１…操作許可ボタン、９２…操作不許可ボタン、９３…操作許可ランプ
【図１】
2004183222.tif 000003
【図２】
2004183222.tif 000004
【図３】
2004183222.tif 000005
【図４】
2004183222.tif 000006
【図５】
2004183222.tif 000007
【図６】
2004183222.tif 000008
【図７】
2004183222.tif 000009
【図８】
2004183222.tif 000010
【図９】
2004183222.tif 000011
【図１０】
2004183222.tif 000012
【図１１】
2004183222.tif 000013
【図１２】
2004183222.tif 000014
【図１３】
2004183222.tif 000015
【図１４】
2004183222.tif 000016
【図１５】
2004183222.tif 000017
【図１６】
2004183222.tif 000018